【事件の表示】
　特願２０００−１５１３４６「魚釣用リールの糸長計測装置」拒絶査定不服審判事件〔平成１３年１１月２７日出願公開、特開２００１−３２７２３３〕について、次のとおり審決する。
【結　論】
　本件審判の請求は、成り立たない。
【理　由】
１．手続の経緯
　本願は、平成１２年５月２３日の出願であって、平成１８年３月１日付けで拒絶査定がなされ、これに対し、平成１８年４月１４日に拒絶査定に対する審判請求がなされるとともに、平成１８年５月１１日付けで手続補正がなされたものである。当該手続補正については、当審において平成２０年４月２３日付けで補正の却下の決定がなされたとともに、同日付けで拒絶理由通知がなされ、これに対し、平成２０年７月４日付けで手続補正がなされたものである。そして、当審において平成２０年７月２３日付けで最後の拒絶理由通知がなされ、これに対し、平成２０年９月２９日付けで手続補正がなされたものである。
　
２．平成２０年９月２９日付けの手続補正についての補正の却下の決定
［補正の却下の決定の結論］
　平成２０年９月２９日付けの手続補正（以下、「本件補正」という。）を却下する。
　
［理由］
（１）本件補正の概要
　本件補正により、特許請求の範囲は、次のとおりに補正された。
　「【請求項１】　リール本体に支持されたスプールの回転数を検出する回転数検出手段と、
　糸長計算式を記憶する記憶手段と、
　モード切換えスイッチで設定したデータ入力モードでスプールに巻回する釣糸の総糸長値を前記記憶手段に入力する入力手段であって、リール本体に回転操作可能に取り付き、前記スプールを駆動するスプール駆動モータのモータ出力を調節するパワーレバーと、
　パワーレバーで入力された釣糸の前記総糸長値及びスプールに釣糸を総て巻回した際に前記回転数検出手段で検出されたスプールの総回転数とから前記糸長計算式を決定して、実釣時のスプールの実回転数に基づき糸長を演算する演算手段と、
　当該演算手段で演算された糸長を表示する表示器と、
　を備えたことを特徴とする魚釣用リールの糸長計測装置。」
　
　上記【請求項１】の補正は、補正前の請求項１に、釣糸の総糸長値を記憶手段に入力するにあたり「モード切換えスイッチで設定したデータ入力モード」で行うことを加えたものである。
　してみると、本件補正は、特許法１７条の２第４項第２号の特許請求の範囲の減縮を目的とするものに該当する。
　そこで、本件補正後の上記請求項１に係る発明（以下、「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
（２）刊行物
　本願出願前に頒布された刊行物であり、本願明細書に従来技術として示された特許第２５８００８７号公報（以下、「引用例１」という。）には、図面とともに、以下のことが記載されている。
　
（引１−イ）
「【請求項１】リール本体と、リール本体に回転可能に支持され釣糸が巻回されるスプールと、このスプールの回転を検出するセンサと、このセンサから出力されるパルス信号をアップ，ダウンカウントするアップ・ダウンカウンタと、上記スプールへの釣糸の最大巻径よりも巻糸径が小さく設定された規定巻径レベルまで釣糸が巻き取られた時のスプールの回転数及び巻糸全長に対応するスプールの総回転数を上記アップ・ダウンカウンタで計数し、これらの計数値を取り込み記憶する手段と、上記規定巻径レベルまでのスプールの回転数及び巻糸全長に対応するスプールの総回転数とにより決定される糸長計算式と釣糸の繰出し，巻取り時に回転されるスプールの実回転数とを基に糸長を演算する手段と、この演算手段で演算された糸長を表示する表示器とを備えてなることを特徴とする魚釣用リールの糸長計測装置。」
　
（引１−ロ）
「【０００１】
【産業上の利用分野】本発明は、魚釣用リールの糸長計測装置に係り、詳しくはスプールの回転数から釣糸の繰出し量や巻取り量を測定する釣糸の糸長計測装置に関する。」
　
（引１−ハ）
「【０００７】
【発明が解決しようとする課題】然し、上記糸長計測装置では、図８に示すように、実際の釣りを想定して使用糸巻量の仕様を決定する際、スプール１の最大巻径と略同一の巻糸径ｄ１を規定巻径レベル５として設定し、この規定巻径レベル５までのスプール１の総回転数ｎをＲＡＭにインプットし釣糸３の全糸長として入力すると共に、規定巻径レベル５を繰出し巻径ｄｍの基点としていた。
【０００８】そのため、釣り人はスプール１の最大巻径に近い規定巻径レベル５まで必ず釣糸３を巻回して、スプール１の総回転数を基礎データとして入力しなければならなかった。
【０００９】従って、スプール１に巻回した釣糸３の巻糸径が、スプール１の最大巻径付近に設定した規定巻径レベル５まで達しない場合には、基礎データを入力できないために糸長計算式（１）を演算実行することができず、又、巻糸径が規定巻径レベル５を越えてしまう全糸長を持った釣糸３を使用する場合には、規定巻径レベル５を越えた分については基礎データを入力できない。
【００１０】このように、上記糸長計測装置は、規定巻径レベル５に対して釣糸３の巻糸径に過不足がある場合には糸長計測が行えない欠点があり、糸長計測装置を機能させるために、巻糸径が規定巻径レベル５まで達するように釣り人によっては不要な釣糸を継ぎ足したり、或いは規定巻径レベル５を越えた分の釣糸３をカットせざるを得なかった。
【００１１】本考案は斯かる実情に鑑み案出されたもので、上記糸長計測装置に改良を加えて、釣糸の長さの如何にかかわらず糸長計測が行える魚釣用リールの糸長計測装置を提供することを目的とする。」
　
（引１−ニ）
「【００１６】１３はリール本体１の上面に一体に取り付けた防水性の偏平なボックスで、このボックス１３の上面パネル１３ａには、表示器１５，モード切換えスイッチ１７，規定巻径レベルデータ書込みスイッチ１９、そして、最終データ書込みスイッチ２１が設けられている。又、ボックス１３内には、糸長を演算するマイクロコンピュータと電池（いずれも後述する）等が水密に収容されている。尚、２３はスプール９を回転させるハンドルである。」
　
（引１−ホ）
「【００１９】更に、上記入力インターフェース３３には、マイクロコンピュータ２５をデータ入力モード，糸長表示モード及びデータ修正モードに切り換えるためのモード切換えスイッチ１７や規定巻径レベルデータ書込みスイッチ１９，最終データ書込みスイッチ２１が接続されている。」
　
（引１−ヘ）
「【００２１】次に、図３について説明する。図３は図８に示す従来例と同様、スプール９の巻き幅ｍが変化しないストレートタイプとした場合のスプール９の回転数と、このスプール９に巻かれた釣糸１１の巻外周径及び糸長の関係を示すもので、図中、
Ｄ ：釣糸１１が規定巻径レベル１２まで巻き取られた際の巻糸径
Ｄ０：スプール９の底径
Ｄ１：釣糸１１が最後まで巻き取られた際の巻糸全長径
Ｈ ：規定巻径レベル１２までのスプール９の溝深さ
を夫々示している。
【００２２】そして、本実施例では、釣糸１１が規定巻径レベル１２まで巻回された際に、先ず、その巻径レベル１２までのスプール９の回転数Ｎを入力し、次に、釣糸１１がスプール９に最後まで巻回されたときの巻糸全長径Ｄ１に対するスプール９の総回転数Ｎｅを入力して、マイクロコンピュータ２５のＲＯＭ２９に格納された糸長計算式
Ｌ＝ｄＮａ２ ＋ｅＮａ ・・・（２）
但し、Ｎａ：釣糸１１の繰出し又は巻取り時のスプール９の実回転数
ｄ＝−πＨ／Ｎ：定数
ｅ＝π（Ｄ０ ＋２ＨＮｅ／Ｎ）：定数
Ｎｅ：巻糸全長に対するスプール９の総回転数
Ｎ ：規定巻径レベル１２まで釣糸１１を巻回したときのスプール９の回転数
から、スプール９の実回転数Ｎａに応じた繰出し糸長Ｌを演算し計測するものである。尚、巻径レベル１２までのスプール９の回転数Ｎや巻糸全長径Ｄ１までのスプール９の総回転数Ｎｅ、そして、スプール９の実回転数Ｎａは、夫々、アップ・ダウンカウンタ４１で計数されて、各計数値がマイクロコンピュータ２５のＲＡＭ３１に格納されるようになっている。」
　
（引１−ト）
「【００２７】そして、釣糸１１が規定巻径レベル１２の巻糸径Ｄまで巻き取られたことが目で確認されたならば、釣糸１１の巻取り操作を停止し、規定巻径レベルデータ書込みスイッチ１９を押す（ステップＳ３）。すると、アップ・ダウンカウンタ４１の計数値が巻径レベル１２までのスプール９の回転数ＮとしてＲＡＭ３１に格納されるから（ステップＳ４）、この基礎データによって、先ず、規定巻径レベル１２に対する上記定数ｄ＝−πＨ／Ｎが決定されることとなる。」
　
（引１−チ）
「【００３０】又、釣糸１１が規定巻径レベル１２まで巻き取られて規定巻径レベルデータ書込みスイッチ１９を押したとき、表示器１５の表示は規定巻径レベル１２までのスプール回転数Ｎを表示させてもよいし、Ｎ＝Ｎｅ ′として糸長演算処理し、規定巻径レベル１２までの巻糸長さを表示してもよい。そして、更に引き続きハンドル２３を回転操作して釣糸１１を最後まで巻き取るまでの巻糸長さを、スプール回転数（Ｎｅ ′，Ｎｅ″，…）に基づき、最終巻糸長さまで糸長を演算処理して表示器１５に表示させてもよい。
【００３１】そして、釣糸１１が最後まで、即ち、巻糸全長径Ｄ１までスプール９に巻き取られたならば、最終データ書込みスイッチ２１を押せばよい（ステップＳ８）。すると、アップ・ダウンカウンタ４１の計数値が、巻糸全長径Ｄ１までのスプール９の総回転数ＮｅとしてＲＡＭ３１に格納されて（ステップＳ９）、巻糸全長に対する定数ｅ＝π（Ｄ０＋２ＨＮｅ／Ｎ）が決定され、糸長計算式（２）の定数ｄ，ｅの書込みが完了することとなる。」
　
（引１−リ）
「【００３３】図５のプログラムがスタートすると、先ず、ステップＳ１０に於て、釣糸１１の繰出しか否かが判定される。ここで、釣糸１１の繰出しであると判定された場合は、釣糸１１の繰出しに伴いスプール９が正転方向へ回転されるため、センサ３９からは正転方向の信号が入力インターフェース３３を介してＣＰＵ２７に取り込まれる。そして、これによりアップ・ダウンカウンタ４１をアップ方向に設定すると共に、スプール９の回転に伴ってセンサ３９から出力されるスプール９回転毎のパルス信号が、入力インターフェース３３を介してアップ・ダウンカウンタ４１に取り込まれ、順次アップカウントされる（ステップＳ１１）。
【００３４】次のステップＳ１２では、マイクロコンピュータ２５の演算周期毎にアップ・ダウンカウンタ４１の計数内容Ｎａ をＣＰＵ２７に取り込んで、上記糸長計算式（２）の糸長演算を実行し、この演算結果を出力インターフェース３５及びデコーダ４３を介して表示器１５に出力し、釣糸１１の繰出し糸長Ｌを表示部１５ａにデジタル表示する（ステップＳ１３）。」
　
　これらの記載事項（引１−イ）〜（引１−リ）および図１〜５によれば、引用例１には、以下の発明が記載されていると認められる。
　
「リール本体と、リール本体に回転可能に支持され釣糸が巻回されるスプールと、このスプールの回転を検出するセンサ３９と、このセンサから出力されるパルス信号をアップ、ダウンカウントするアップ・ダウンカウンタ４１と、演算処理プログラム及びスプール９の形状に応じた糸長計算式等を格納したＲＯＭ２９と、上記スプールへの釣糸の最大巻径よりも巻糸径が小さく設定された規定巻径レベル１２まで釣糸が巻き取られた時のスプールの回転数Ｎ及び巻糸全長に対応するスプールの総回転数Ｎｅを上記アップ・ダウンカウンタ４１で計数し、これらの計数値を取り込み記憶するＲＡＭ３１と、上記規定巻径レベル１２までのスプールの回転数Ｎ及び巻糸全長に対応するスプールの総回転数Ｎｅとにより決定される糸長計算式と釣糸の繰出し、巻取り時に回転されるスプールの実回転数とを基に糸長を演算するＣＰＵ２７と、この演算手段で演算された糸長を表示する表示器１５とを備え、モード切換えスイッチで設定したデータ入力モードを有する魚釣用リールの糸長計測装置。」（以下、「引用発明」という。）
　
　また，本願出願前に頒布された刊行物であり、原査定の拒絶の理由に引用された特開平４−２７３２９号公報（以下、「引用例２」という。）には、図面とともに、以下のことが記載されている。
　
（引２−イ）
「〔産業上の利用分野〕
　本発明は釣り用リールに関し、詳しくは、釣り糸が巻取られる巻取り系の回転量に基いて、スプール回からの釣り糸の繰出し長さを報知するための技術に関するものである。」（１頁右下欄３〜７行）
　
（引２−ロ）
「即ち、学習モードは第４図に示すように、リセットスイッチ（１３）のＯＮ操作によって開始され、この開始後には、初期設定を行った後、設定スイッチ（１１），（１１）の操作によりスプール（３）に巻取る釣り糸（２）の長さの値をディスプレイ（１０）に表示すると共に、セットスイッチ（１２）のＯＮ操作によって、この設定値を巻取り長さ（Ｌ）に設定する（＃１０１〜＃１０５ステップ）。
　尚、このように巻取り長さ（Ｌ）を設定する際に、例えば、販売時の釣り糸（２）の長がパッケージの表記等により明らかな場合には、その長さの値を設定すれば良く、又、正確な長さが不明な場合には、第１図に示す如く、釣り糸（２）が巻回されるプーリ（１６）を有した機械式のカウンタ（１７）を用いて予め長さを計測しておく等の準備をすれば良く、又、この設定時には、一対の設定スイッチ（１１），（１１）の使い分けによってディスプレイ（１０）に表示される数値の増減を図る操作を行うことになる。
　次に、ハンドル（７）の操作によって釣り糸（２）をスプール（３）に巻取ることにより、前記ホール素子（９），（９）からの信号によってスプール（３）の回転が１回転ずつカウントされ、このカウントはセットスイッチ（１２）がＯＮ操作されるまで継続され、ＯＮ操作されることにより、カウント値（ｎ）が（Ｑ）にセットされる（＃１０６〜＃１０９ステップ）。
　このセットスイッチ（１２）のＯＮ操作はスプール（３）に所定の長さ（Ｌ）の釣り糸（２）が巻取られることにより行われるものであり、この操作の後には、前記メモリ（１５）に保持された所定の式「ｆ（Ｌ，Ｑ）」に基いて巻径変化量（ΔＤ）を求め、更に、スプール（３）の回転量から巻取り量（ＲＮ）を求める式「ＲＮ＝Ｆ（Ｎ）」に定数を設定した後、設定値表示をクリヤし、「０」の値を表示して終了する（＃１１０〜＃１１３ステップ）。」（３頁右下欄１８行〜４頁右上欄１３行）
　
（引２−ハ）
「次に、前述のように学習モードが終了すると、第５図に示すように自動的に表示モードがスタートし、この表示モードでは、初期設定の後、スプール（３）の回転方向に基いてスプール（３）が１回転する毎にカウント値（Ｎ）のデクリメントあるいはインクリメントを行う（＃２０１〜＃２０５ステップ）。
　又、このカウント値はスプール（３）に釣り糸（２）を巻終えた状態で（Ｑ）の値を保持しており、スプール（３）から釣り糸（２）が繰出されると、スプール（３）の回転に基いてカウント値がデクリメントされることにより、式「ＲＮ＝Ｆ（Ｎ）」に基いてスプール（３）に残された釣り糸（２）の長さを先ず演算し、この演算結果を長さ（Ｌ）から減ずることにより、繰出し量（ＬＮ）が求められることになる（＃２０６ステツプ）。
　そして、この（ＬＮ）の値は、スプール（３）から釣り糸（２）が繰出される毎に更新されて表示され、この表示はリセットスイッチ（１３）がＯＮ操作されるまで継続するように構成されている（＃２０７、＃２０９ステップ）。」（５頁左上欄１行〜右上欄１行）。
　
　また，本願出願前に頒布された刊行物である、特開平６−２０５６２９号公報（以下、「引用例３」という。）には、図面とともに、以下のことが記載されている。
　
（引３−イ）
「【００２９】そして、図１及び図３に示すようにリール本体１の右側面前方には、モータ出力を調整してスプールモータ１７の回転速度を可変させるモータ出力調節レバー（以下「調節レバー」という）９１が、約１２０°の範囲に亘って回転可能に取り付けられている。
【００３０】調節レバー９１は、図３に示すように略円形状の基台９１ａとその外周に突設された摘み部９１ｂとからなり、摘み部９１ｂの先端には更に指示部９２が突設されている。そして、当該調節レバー９１はリール本体１に内蔵された回転形のポテンショメータ９３に連結されている。」
　
（引３−ロ）
「【００３２】そこで、上述の如く調節レバー９１をポテンショメータ９３に連結し、後述する糸長表示モードに於ける調節レバー９１の変位操作（回転操作）でポテンショメータ９３内のブラシの位置を変化させることにより、調節レバー９１の作動によるポテンショメータ９３の抵抗値の変化を制御装置６５に入力し、調節レバー９１の変位操作量（回転操作量）に応じたパルス信号のデューテー比としてスプールモータ１７への駆動電源通電時間率を制御装置６５で可変制御して、スプールモータ１７のモータ出力をゼロから最大値（０〜１００％）まで多段階に制御できるようになっている。」
　
（引３−ハ）
「【００３６】更に又、後述するように、上記調節レバー９１は、図２０に示す魚釣用リールの数値キーｃに代えて、棚停止値設定モード及びタイマ設定モード状態で棚停止値やスプール７の自動巻取り開始時間のタイマ設定値を入力する設定スイッチとして機能し、そして、設定時に棚位置やタイマの設定値がデジタル表示部８９に表示されるようになっている。」
　
（引３−ニ）
「【００４５】そして、この状態で魚のアタリを待ち、アタリがあったら調節レバー９１を回転操作すればよく、釣糸９をゆっくり巻き上げたい場合には調節レバー９１を少し回転し、魚の引きが強くてハリスが強い場合には調節レバー９１を多めに回転させる等、巻上げの状況に応じて調節レバー９１を操作し乍らスプールモータ１７の出力を制御すれば、釣糸９は巻上げに最適なモータ速度で巻き上げられることとなる。そして、巻上げを停止する場合には、調節レバー９１をモータ出力０％の位置（図５中、Ｅ点）に戻せばよい。」
　
（引３−ホ）
「【００４９】同様に、調節レバー９１を用いて釣り人がスプール７の自動巻取り開始時間を設定する場合には、図１２に示すように先ず、タイマ設定モードスイッチ１０３を２秒間プッシュ操作すればよい。すると、デジタル表示部８９がタイマ設定モードに切り換わってデジタル表示部８９に“分”の文字が点滅し、制御装置６５がタイマ設定モードであることを示すようになっている。
【００５０】そして、この状態で図１３の如く調節レバー９１を前方へ回転させると、設定値が漸次カウントアップ（０１，０２，０３，・・・）し、調節レバー９１を手前に戻すと、設定値が漸次カウントダウン（３０，２９，２８，・・・）するようになっており、所望のタイマ設定時間（本実施例では５分）の設定が完了したところで再度タイマ設定モードスイッチ１０３をプッシュ操作すると、その設定値が記憶部１１７に記憶され、図１４に示すようにデジタル表示部８９が糸長表示モードに切り換わるようになっている。尚、図１４は棚停止位置が５０メートルで、タイマセットした場合を示す。」
　
（３）対比
　そこで、本願補正発明と引用発明とを対比すると、その機能・構造からみて、引用発明の「センサー３９」と「アップ・ダウンカウンタ４１」、「ＲＯＭ２９」と「ＲＡＭ３１」および「ＣＰＵ２７」は、本願補正発明の「回転数検出手段」、「記憶手段」および「演算手段」にそれぞれ相当するといえるから、両者は、
　
「リール本体に支持されたスプールの回転数を検出する回転数検出手段と、
　糸長計算式を記憶する記憶手段と、
　
　糸長計測に必要なデータを入力することにより上記糸長計算式を決定して、実釣時のスプールの実回転数に基づき糸長を演算する演算手段と、
　当該演算手段で演算された糸長を表示する表示器とを備え、
　モード切換えスイッチで設定したデータ入力モードを有する魚釣用リールの糸長計測装置。」
　
の点で一致し、以下の点で相違している。
　
（相違点１）
　本願補正発明は、「スプールに巻回する釣糸の総糸長値を記憶手段に入力する」のに対して、引用発明は、釣糸の総糸長値について入力し得るかどうか不明な点。
　
（相違点２）
　本願補正発明は、「記憶手段に入力する入力手段」として、「モード切換えスイッチで設定したデータ入力モード」で入力するものであり、「リール本体に回転操作可能に取り付き、前記スプールを駆動するスプール駆動モータのモータ出力を調節するパワーレバー」を採用しているのに対し、引用発明は、「モード切換えスイッチで設定したデータ入力モード」は有するものの、このような入力手段を備えていない点。
　
（相違点３）
「糸長計測に必要なデータ」が、本願補正発明では「釣糸の総糸長値及びスプールに釣糸を総て巻回した際に回転数検出手段で検出されたスプールの総回転数」であるのに対し、引用発明では「規定巻径レベル１２までのスプールの回転数Ｎ及び巻糸全長に対応するスプールの総回転数Ｎｅ」である点。
　
（４）判断
（ａ）相違点１について
　引用例２記載の「魚釣用リールの糸長計測装置」は、本願補正発明および引用発明と同一技術分野に属するものであり、上記記載事項（引２−ロ）によれば、「学習モードは・・・・・開始され、この開始後には、・・・・・設定スイッチ（１１）、（１１）の操作によりスプール（３）に巻取る釣り糸（２）の長さの値をディスプレイ（１０）に表示すると共に、セットスイッチ（１２）のＯＮ操作によって、この設定値を巻取り長さ（Ｌ）に設定」し、また、「販売時の釣り糸（２）の長がパッケージの表記等により明らかな場合には、その長さの値を設定」するものである。
　そうすると、上記「販売時の釣り糸（２）の長」が本願補正発明の「釣糸の総糸長値」に相当することが明らかであるから、上記引用例２記載の「魚釣用リールの糸長計測装置」は、少なくとも、スプールに巻回する釣糸の総糸長値を記憶手段に設定させるものであるといえ、特定の値を記憶手段に設定するのに、数値（総糸長値）を設定スイッチの操作で表示し、特定の数値（総糸長値）を設定する、すなわち、スプールに巻回する釣糸の総糸長値を記憶手段に入力しているものといえる。
　
　してみると、引用発明において、引用例２記載の上記技術的事項を適用することにより、相違点１の本願補正発明に係る構成とすることは、当業者であれば容易に想到し得ることであるというべきである。
　
（ｂ）相違点２について、
　引用例３には、上記記載事項（引３−イ）、（引３−ロ）および（引３−ニ）によれば、リール本体に回転操作可能に取り付き、スプールを駆動するスプール駆動モータのモータ出力を調節する「調節レバー９１」（本願補正発明における「パワーレバー」に相当）が記載されている。また、上記記載事項（引３−ハ）および（引３−ホ）によれば、「調節レバー９１」は、モード切換えスイッチ（棚停止値設定モードスイッチ１０１及びタイマ設定モードスイッチ１０３が相当）で設定したデータ入力モードで入力するものであり、設定値を記憶手段に入力する入力手段として機能しているものが記載されている。
　そうすると、上記引用例３記載の「調節レバー９１」は、スプールを駆動するスプール駆動モータのモータ出力を調節するとともに、モード切換えスイッチで設定したデータ入力モードで、設定値を記憶手段に入力する入力手段として機能するものといえる。
　そして、データ入力モードにおける「調節レバー９１」は、単にデータ入力手段として機能するものであり、どのようなデータを入力するかは必要に応じて適宜選択することが可能である。
　してみると、引用発明において、スプールを駆動するスプール駆動モータのモータ出力を調節するとともに、モード切換えスイッチで設定したデータ入力モードで、記憶手段に糸長計測のデータを入力する入力手段として機能するものとして、引用例３記載の上記技術的事項を採用し、相違点２の本願補正発明に係る構成とすることは、必要に応じて適宜なし得るものであり、当業者であれば容易に想到し得ることであるというべきである。
　
（ｃ）相違点３について
　上記記載事項（引２−ロ）の「・・・・・スプール（３）の回転量から巻取り量（ＲＮ）を求める式「ＲＮ＝Ｆ（Ｎ）」に定数を設定・・・・・」および同（引２−ハ）の「・・・・・スプール（３）から釣り糸（２）が繰出されると、スプール（３）の回転に基いてカウント値がデクリメントされることにより、式「ＲＮ＝Ｆ（Ｎ）」に基いてスプール（３）に残された釣り糸（２）の長さを先ず演算し、この演算結果を長さ（Ｌ）から減ずることにより、繰出し量（ＬＮ）が求められることになる（＃２０６ステツプ）・・・・・」との記載からみて、引用例２記載の「魚釣用リールの糸長計測装置」においては、「釣り糸の所定の長さ（Ｌ）及びスプールにその釣り糸を総て巻回した際にホール素子（９）で検出されたスプールの回転数（Ｑ←カウント値ｎのＭａｘ値）が設定されることにより、巻取り量「ＲＮ＝Ｆ（Ｎ）」に定数が設定され，繰出し量（ＬＮ）が求められる」こと、すなわち、「釣り糸の所定の長さ（Ｌ）」および「釣り糸を総て巻回するに必要なスプールの回転数（Ｑ）」により繰出し量（ＬＮ）を求める式を決定するという技術的事項が記載されているといえる。
　そして、引用例２記載の「釣り糸の所定の長さ（Ｌ）」および「釣り糸を総て巻回するに必要なスプールの回転数（Ｑ）」が、それぞれ、本願補正発明の「釣糸の総糸長値」および「スプールに釣糸を総て巻回した際に上記回転数検出手段で検出されたスプールの総回転数」に相当するといえる。
　また、上記記載事項（引１−ヘ）の糸長計算式
「Ｌ＝ｄＮａ２ ＋ｅＮａ ・・・（２）
但し、Ｎａ：釣糸１１の繰出し又は巻取り時のスプール９の実回転数
ｄ＝−πＨ／Ｎ：定数
ｅ＝π（Ｄ０ ＋２ＨＮｅ／Ｎ）：定数
Ｎｅ：巻糸全長に対するスプール９の総回転数
Ｎ ：規定巻径レベル１２まで釣糸１１を巻回したときのスプール９の回転数」
からみて、
「巻糸全長」および「巻糸全長に対するスプール９の総回転数Ｎｅ」が既知であれば、スプールに釣糸を総て巻回した際の巻径レベルを「規定巻径レベル１２」とすることにより「Ｈ」が求まり、糸長計算式が決定されることは、明らかであるといえる。そして、これらの「巻糸全長」および「巻糸全長に対するスプール９の総回転数Ｎｅ」が本願補正発明の「釣糸の総糸長値」および「スプールに釣糸を総て巻回した際に上記回転数検出手段で検出されたスプールの総回転数」に相当することも明らかである。
　
　してみると、引用発明において、引用例２記載の上記技術的事項を適用して、その「規定巻径レベル１２までのスプールの回転数Ｎ」および「巻糸全長に対応するスプールの総回転数Ｎｅ」を、上記刊行物２記載の「釣り糸の所定の長さ（Ｌ）」および「釣り糸を総て巻回するに必要なスプールの回転数（Ｑ）」に置換して，相違点３における本願補正発明の構成とすることは、当業者であれば容易に想到し得ることであるというべきである。
　
　そして、本願補正発明の作用効果も、引用例１、引用例２および引用例３記載の技術的事項から当業者が予測できる範囲のものであって、格別のものとはいえない。
　
　したがって、本願補正発明は、引用発明、引用例２記載の技術的事項および引用例３記載の技術的事項に基づいて、当業者が容易に発明をすることができたものであるというべきであるから、特許法第２９条第２項の規定により特許出願の際独立して特許を受けることができないものである。
　
（５）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に適合しないので、同法第１５９条第１項において読み替えて準用する同法第５３条第１項の規定により却下すべきものである。
　よって、上記［補正の却下の決定の結論］のとおり、決定する。
　
３．本願発明
　平成２０年９月２９日付けの手続補正は上記のとおり却下されたので、本願の請求項１に係る発明（以下、「本願発明」という。）は、平成２０年７月４日付け手続補正書により補正された明細書の特許請求の範囲の【請求項１】に記載された事項により特定される、以下のとおりのものである。
　
（本願発明）
「【請求項１】　リール本体に支持されたスプールの回転数を検出する回転数検出手段と、
　糸長計算式を記憶する記憶手段と、
　スプールに巻回する釣糸の総糸長値を前記記憶手段に入力する入力手段であって、リール本体に回転操作可能に取り付き、前記スプールを駆動するスプール駆動モータのモータ出力を調節するパワーレバーと、
　パワーレバーで入力された釣糸の前記総糸長値及びスプールに釣糸を総て巻回した際に前記回転数検出手段で検出されたスプールの総回転数とから前記糸長計算式を決定して、実釣時のスプールの実回転数に基づき糸長を演算する演算手段と、
　当該演算手段で演算された糸長を表示する表示器と、
　を備えたことを特徴とする魚釣用リールの糸長計測装置。」
　
４．刊行物及びその記載内容
　刊行物及びその記載事項は、前記「２．（２）刊行物」に記載したとおりである。
　
５．対比・判断
　本願発明は、前記「２．」で検討した本願補正発明から、釣糸の総糸長値を記憶手段に入力するにあたり「モード切換えスイッチで設定したデータ入力モード」で行うこととの限定を省略したものである。
　してみると、本願発明の発明特定事項を全て含み、さらに他の構成要件を付加したものに相当する本願補正発明が、前記「２．（４）判断」に記載したとおり、引用発明、引用例２記載の技術的事項および引用例３記載の技術的事項に基づいて、当業者が容易に発明をすることができたものであるから、本願発明も同様の理由により、引用発明、引用例２記載の技術的事項および引用例３記載の技術的事項に基づいて、当業者が容易に発明をすることができたものである。
　
６．むすび
　以上のとおり、本願発明は、引用発明、引用例２記載の技術的事項および引用例３記載の技術的事項に基いて当業者が容易に発明をすることができたものであるから、特許法第２９条第２項の規定により特許を受けることができず、本願は拒絶をすべきものである。
　よって、結論のとおり審決する。